(57)【特許請求の範囲】
【請求項１】
複数条のスクリュー溝が外周面に形成され、一端が流体の吸入側となり他端が吐出側となるスクリューロータと、
前記スクリュー溝に噛み合わされる複数の歯が外周部に形成されたゲートロータと、
前記スクリューロータが収容される収容部及び吐出ポートを有するケーシングと、
前記ケーシングの内壁面に形成され、前記スクリューロータの回転軸方向に延びるスライド溝と、
前記スライド溝内に前記回転軸方向にスライド移動自在に収容され、前記回転軸方向にスライドして吐出開始タイミングを変化させるスライドバルブと、
前記ケーシングに設けられ、前記収容部に開口するゲートロータ用開口部とを有し、
前記ゲートロータの前記複数の歯が前記ゲートロータ用開口部を介して前記収容部に挿入されて前記スクリュー溝と噛み合わされ、前記スクリューロータが回転することにより、前記収容部の内壁面、前記スクリュー溝及び前記ゲートロータで囲まれた空間である圧縮室に流体を吸入して圧縮し、圧縮した流体を吐出ポートから吐出するスクリュー圧縮機であって、
前記ゲートロータと前記スライドバルブとの組を一対備え、
前記吐出ポートは、
前記スライドバルブの移動によって開口面積と吐出開始のタイミングとを変更できる可変ポートと、
前記可変ポートと前記ゲートロータとの間に設けられ、前記スライドバルブが移動しても開口面積が変化しない固定ポートとを有し、
前記スライドバルブが最も吸入側に配置されるときの前記吐出ポートの吸入側端面形状が、前記可変ポート側の面と、前記固定ポートと前記可変ポートとの境界にあって回転軸方向に延びるスライド面と、前記固定ポート側の面と、を互いに角度を持って接続した形状を有し、前記固定ポート側の面が前記可変ポート側の面よりも吐出側に形成され、
一対の前記スライドバルブのそれぞれの中心位置が、それぞれ同じ組の前記ゲートロータに対応する前記ゲートロータ用開口部における前記スライドバルブ側の端面から、スクリューロータ中心角度で、３０°より大きく１００°より小さい範囲に設けられていることを特徴とするスクリュー圧縮機。
【請求項２】
前記吐出ポートの吸入側端面を形成する前記可変ポート側の傾斜面と前記固定ポート側の傾斜面との少なくとも一方が、対向するスクリュー溝の傾斜に沿って形成されていることを特徴とする請求項１記載のスクリュー圧縮機。
【請求項３】
前記ケーシング内に設けられ、吸入圧力雰囲気となっている吸入圧室と、
前記ケーシング内に形成され、前記ケーシングの外部と前記スライド溝とを連通するエコノマイザー流路と、
前記スライドバルブに形成され、前記スライドバルブの位置に応じて、前記圧縮室に前記エコノマイザー流路を連通させるエコノマイザーポートとを備え、
前記スライドバルブは、吐出側から吸入側に移動するに連れ、吐出開始のタイミングを早めるものであり、
前記エコノマイザーポートは、前記スライドバルブが最も吸入側に移動した状態にあるときに前記吸入圧室に連通する位置に設けられていることを特徴とする請求項１又は請求項２記載のスクリュー圧縮機。
【請求項４】
前記エコノマイザーポートは、前記スライドバルブが最も吐出側に移動した状態にあるときに前記圧縮室及び前記エコノマイザー流路に連通する位置に設けられていることを特徴とする請求項３記載のスクリュー圧縮機。
【請求項５】
駆動軸を介して前記スクリューロータと接続され、前記スクリューロータを回転させる電動機を備え、
前記電動機は、インバータで駆動される電動機であることを特徴とする請求項１〜請求項４の何れか一項に記載のスクリュー圧縮機。
【請求項６】
請求項１〜請求項５の何れか一項に記載のスクリュー圧縮機、凝縮器、中間冷却器の高圧部、減圧装置及び蒸発器を順に冷媒配管で接続した冷媒回路と、
前記中間冷却器と前記減圧装置との間から分岐し、中間冷却器用膨張弁及び前記中間冷却器の低圧部を介して前記スクリュー圧縮機に接続されたエコノマイザー配管とを備えたことを特徴とする冷凍サイクル装置。
【発明の詳細な説明】
【技術分野】
【０００１】
本発明は、冷凍・空調用途等の冷凍サイクル内で用いられるスクリュー圧縮機及び冷凍サイクル装置に関するものである。
【背景技術】
【０００２】
この種のスクリュー圧縮機として、一端が流体の吸入側となり他端が吐出側となるスクリューロータの外周に、スクリューロータの回転軸方向へスライド移動する柱状のスライドバルブを設けたものがある（例えば、特許文献１、特許文献２、特許文献３、特許文献４参照）。スライドバルブは、圧縮室で圧縮された高圧ガスの吐出開始（圧縮完了）位置を変更するものであり、吐出面積を変化させて吸入容積に対する吐出容積の比率を変更するものである。【０００３】
特許文献１では、運転負荷に応じた圧縮比（吐出圧力／吸入圧力）に対して、高い圧縮機効率が得られる容積比になるようにスライドバルブのスライド停止位置を制御している。つまり、運転状態が全負荷運転なのか部分負荷運転なのかに応じてスライドバルブの位置を変化させている。具体的には、スライドバルブは、部分負荷運転時は吸入側に位置して吐出ポートの開度を大きくし、全負荷運転時は吐出側に位置して吐出ポートの開度を小さくするように、位置が変化する。【０００４】
特許文献１のスクリュー圧縮機の吐出ポートは、スクリューロータを収容するケーシングに設けた開口部の内壁面とスライドバルブの吐出側端面とで形成されており、可変ポートと固定ポートとを有している。可変ポートは、スライドバルブの移動によりスライドバルブによる閉塞部分が開放されるか又は逆方向の移動によって開放部分が閉塞されることにより面積変化するポートである。固定ポートは、可変ポートと、ケーシングにおいてゲートロータ歯が挿入される開口部（以下、ゲートロータ用開口部と称する）との間に設けられ、スライドバルブの位置によらず常に開放された状態のポートである。【０００５】
特許文献１に記載の従来のスクリュー圧縮機では、固定ポート及び可変ポートに加えて更に、部分負荷運転時の吐出面積拡大を目的として複数の副ポートを設けている。複数の副ポートは、平行四辺形形状に形成され、可変ポートとゲートロータ用開口部との間において固定ポートの吸入側に並設されている。【０００６】
ここで、固定ポートは、全負荷運転時のスライドバルブの位置に合わせて吐出面積が確保できるように形成される。また、副ポートはスライドバルブが吸入側にスライドする部分負荷運転で圧縮室及び可変ポートに連通し、スライドバルブが吐出側へスライドする全負荷運転ではスライドバルブによって閉塞されるように、固定ポートとは切り離して形成されている。【０００７】
特許文献１では、以上のように固定ポートと副ポートとを設けることにより、圧力の異なる圧縮室同士が連通することを防止すると共に、部分負荷の運転状態において十分な大きさの吐出面積を確保することを可能としている。【０００８】
また、特許文献２に記載の従来のスクリュー圧縮機においても、部分負荷での吐出面積を確保することを目的として、可変ポート及び固定ポートの他に副ポートを設ける点が開示されている。この特許文献２の副ポートは、スライドバルブよりもスクリューロータの反回転側に設けられ、全負荷に対して５０％から７５％の部分負荷運転のときに圧縮室をスクリューロータの吐出側空間に連通させるようにしている。【０００９】
また、特許文献３には、スライドバルブの吐出側端面の傾斜を部分負荷運転の吐出開始時点のスクリュー溝の傾斜に合わせ、全負荷運転の効率よりも部分負荷運転の効率を優先するようにしたスクリュー圧縮機が開示されている。【００１０】
また、特許文献１〜３においてスライドバルブは、棒状の連結部を介してガイド部に連結され、ガイド部が駆動機構によって駆動されることでスライド移動できるようになっている。この連結部は、吐出ポート上を横切って配置されることから、吐出流体の流路を閉塞する。このため、流路面積を縮小させ、吐出圧損を増大させる要因となっている。【００１１】
そこで、特許文献４には、できるだけ吐出流路を遮らないように、連結部を可変ポートの反回転方向側へ偏らせて配置するようにした技術が開示されている。
【先行技術文献】
【特許文献】
【００１２】
【特許文献１】特開２０１１−１３２８３４号公報（第１１頁、図６）
【特許文献２】特開２０１１−３２９５７号公報（［００３３］、図２）
【特許文献３】特許第４７３５７５７号公報（第１２頁、図６）
【特許文献４】特許第３２１４１００号公報（［００２０］、図３）
【発明の概要】
【発明が解決しようとする課題】
【００１３】
スクリュー圧縮機が搭載される冷凍機の省エネルギーの指標として、従来は定格条件（全負荷条件：１００％負荷）での成績係数（能力／消費電力）を用いることが主流であった。しかし、最近では実運転条件に近い指標、例えば米国で定められている期間成績係数ＩＰＬＶ（Ｉｎｔｅｇｒａｔｅｄ  Ｐａｒｔ  Ｌｏａｄ  Ｖａｌｕｅ）が注目されてきている。【００１４】
一般的な冷凍機では、年間を通じて定格条件で運転される時間は非常に短く、年間を通した運転時間のうち９割以上が部分負荷で運転されている。そして、部分負荷は、全負荷のうち特に７５〜５０％負荷での運転がその大半を占める。全負荷運転と部分負荷運転では、冷媒循環流量、運転圧縮比が異なり、成績係数も変化する。このような実運転の状況を考慮し、期間成績係数が注目されてきたのである。つまり、期間成績係数は部分負荷条件での成績係数を重視した指標となっている。【００１５】
上記の背景から、特許文献１及び特許文献２に記載のスクリュー圧縮機は、部分負荷条件の効率を向上する目的で部分負荷条件での吐出面積を大きくするため、上記の構成を採用している。すなわち、従来の可変ポートに加え、部分負荷運転でのみ吐出側空間に連通する副ポートを設けている。【００１６】
しかしながら、副ポートは、全負荷運転で圧縮途中の圧縮室と連通するように設けられているため、吸入圧から吐出圧まで無駄に圧縮される容積部（デッドボリューム）となり、損失を発生させる要因となってしまっている。【００１７】
また、特許文献３に記載のスクリュー圧縮機は、スライドバルブの吐出側端面が部分負荷の吐出開始時点のスクリュー溝の傾斜に沿って形成されているため、部分負荷条件では吐出開始時点の吐出面積を十分に確保でき、運転効率が上がって効果的である。しかし、全負荷条件では、スライドバルブの吐出側端面が全負荷条件での吐出開始時点のスクリュー溝の傾斜に沿わなくなる。このため、その傾斜の違いが起因して部分負荷運転時にスクリュー溝の傾斜を合わせた場合の吐出開始時の吐出面積が、全負荷運転時にスクリュー溝の傾斜を合わせた時よりも小さくなり、吐出圧損が増大して効率が低下してしまう問題がある。【００１８】
また、特許文献４のスクリュー圧縮機は、吐出流路をなるべく遮らないように連結部の位置を工夫しているものの、全負荷運転時及び部分負荷運転時、共に、連結部が可変ポート上にあることに変わりはない。このため、連結部によって吐出流路が遮られ、吐出圧損が増大する問題は依然として残されており、連結部による運転効率低下の改善が求められている。【００１９】
また、特許文献１から特許文献４のスクリュー圧縮機は、１対のスライドバルブで機械式容量制御を行う場合に可変ポート面積を確保できるように、例えば、スライドバルブの中心をゲートロータの開口面から３０°前後としている。なお、機械式容量制御とは、スライドバルブを吐出側に移動させてバイパス口（吸入側にあるスクリュー溝を低圧空間と連通させる開口）を開くことで、圧縮開始のタイミングを遅らせて容量制御を行う制御である。この角度位置に設けられたスライドバルブの外周面の外方には、吸入圧と吐出圧とを仕切る隔壁がある。スライドバルブを低圧縮比運転での吐出開始点に合わせて吸入側に移動させたとき、スライドバルブの吐出側端面が隔壁より吸入側に位置するように、スライドバルブと隔壁との位置関係が設定されている。このため、圧縮室から吸入圧側への流体漏れが発生する問題がある。【００２０】
特許文献１、２、４の課題を解決するには、例えば以下を満足する構成とする方法が考えられる。すなわち、まず、スライドバルブのスクリューロータ周方向の長さを、部分負荷の吐出開始時点のスクリュー溝を覆う程度に長くして吐出面積を十分大きくとればよい。そして、連結部が吐出流路を遮らないよう、スクリューロータ周方向の長さを長くしたスライドバルブに、特許文献４の位置よりも更に反回転方向側へ偏らせて連結部を配置し、連結部が吐出ポートから完全に離して設ければよい。しかしながら、これらの２つを満足したとしても、特許文献３と同じ課題は残されている。【００２１】
また、特許文献１、２、４の課題を解決するために、上述のようにスライドバルブのスクリューロータ周方向の長さを長くした場合、スライドバルブの外周面とその外周面の外方に設けた隔壁とのシール部分のシール線長さが長くなり、漏れ損失が増大する問題が新たに生じる。更には、スライドバルブの外周面の外側に設けられているゲートロータ支持部品とスライドバルブとが干渉してしまう問題も生じる。【００２２】
このように、特許文献１〜４の技術では、高圧縮比から低圧縮比まで広い運転範囲で吐出損失の増大を抑制するための技術が各種開示されているものの、更なる改善の余地があった。【００２３】
本発明は、上述のような問題の少なくとも一つを解決するためになされたものであり、広い運転範囲で吐出損失の増大を抑制できるスクリュー圧縮機及び冷凍サイクル装置を得ることを目的とする。
【課題を解決するための手段】
【００２４】
本発明に係るスクリュー圧縮機は、複数条のスクリュー溝が外周面に形成され、一端が流体の吸入側となり他端が吐出側となるスクリューロータと、スクリュー溝に噛み合わされる複数の歯が外周部に形成されたゲートロータと、スクリューロータが収容される収容部及び吐出ポートを有するケーシングと、ケーシングの内壁面に形成され、スクリューロータの回転軸方向に延びるスライド溝と、スライド溝内に回転軸方向にスライド移動自在に収容され、回転軸方向にスライドして吐出開始タイミングを変化させるスライドバルブと、ケーシングに設けられ、収容部に開口するゲートロータ用開口部とを有し、ゲートロータの複数の歯がゲートロータ用開口部を介して収容部に挿入されてスクリュー溝と噛み合わされ、スクリューロータが回転することにより、収容部の内壁面、スクリュー溝及びゲートロータで囲まれた空間である圧縮室に流体を吸入して圧縮し、圧縮した流体を吐出ポートから吐出するスクリュー圧縮機であって、ゲートロータとスライドバルブとの組を一対備え、吐出ポートは、スライドバルブの移動によって開口面積と吐出開始のタイミングとを変更できる可変ポートと、可変ポートとゲートロータとの間に設けられ、スライドバルブが移動しても開口面積が変化しない固定ポートとを有し、スライドバルブが最も吸入側に配置されるときの吐出ポートの吸入側端面形状が、可変ポート側の面と、固定ポートと可変ポートとの境界にあって回転軸方向に延びるスライド面と、固定ポート側の面と、を互いに角度を持って接続した形状を有し、固定ポート側の面が可変ポート側の面よりも吐出側に形成され、一対のスライドバルブのそれぞれの中心位置が、それぞれ同じ組のゲートロータに対応するゲートロータ用開口部におけるスライドバルブ側の端面から、スクリューロータ中心角度で、３０°より大きく１００°より小さい範囲に設けられているものである。
【発明の効果】
【００２５】
本発明によれば、広い運転範囲で吐出損失の増大を抑制できるスクリュー圧縮機を得ることができる。
【図面の簡単な説明】
【００２６】
【図１】本発明の実施の形態１に係るスクリュー圧縮機１００の概略断面図（平面断面図）である。
【図２】図１のＡ−Ａ断面図である。
【図３】本発明の実施の形態１に係るスクリュー圧縮機１００の吐出ポート１５近傍（収容部）を示す斜視図である。
【図４】本発明の実施の形態１に係るスクリュー圧縮機１００の吐出ポート１５近傍の説明図である。
【図５】本発明の実施の形態１に係るスクリュー圧縮機１００の圧縮原理を示す説明図である。
【図６】本発明の実施の形態１に係るスクリュー圧縮機１００のスライドバルブ１２が吐出側に配置された状態でのスクリュー回転角と吐出面積との関係を説明するための説明図である。
【図７】図６の状態でのスクリュー回転角と吐出面積変化の関係を示すグラフである。
【図８】本発明の実施の形態１に係るスクリュー圧縮機１００のスライドバルブ１２が吸入側に配置された状態でのスクリュー回転角と吐出面積との関係を説明するための説明図である。
【図９】図８の状態でのスクリュー回転角と吐出面積変化の関係を示すグラフである。
【図１０】比較の対象となる従来の吐出ポート１５０近傍の説明図である。
【図１１】高圧縮比運転で、図１０の従来のスライドバルブ１２０が吐出側に配置された状態でのスクリュー回転角と吐出面積との関係を説明するための説明図である。
【図１２】スライドバルブが吐出側に配置された状態での従来と本実施の形態との吐出面積の比較結果を示す図である。
【図１３】低圧縮比運転で、図１０の従来のスライドバルブ１２０が吸入側に配置された状態でのスクリュー回転角と吐出面積との関係を説明するための説明図である。
【図１３Ａ】従来と本実施の形態１とのスライドバルブ配置の違いによる、低圧縮比運転での可変ポート面積の違いを説明するための説明図である。
【図１４】スライドバルブが吸入側に配置された状態での従来と本実施の形態との吐出面積の比較結果を示す図である。
【図１４Ａ】スライドバルブ１２の中心をゲートロータ開口面から９０°に配置したときの吐出面積変化の関係を示す図である。
【図１４Ｂ】スライドバルブ１２の中心をゲートロータ開口面１ａａから９０°に設けた場合と従来との吐出面積の比較結果を示す図である。
【図１５】低圧縮比運転で、スライドバルブ１２、１２０が吸入側に配置された状態の横断面図である。
【図１６】固定ポート１７の吸入側壁面の他の例を示す図である。
【図１７】本発明の実施の形態２に係る冷凍サイクル装置３００の冷媒回路図である。
【図１８】本発明の実施の形態２に係る冷凍サイクル装置３００に備えられたスクリュー圧縮機２００の要部端面図である。
【図１９】本発明の実施の形態２に係る冷凍サイクル装置３００に備えられたスクリュー圧縮機２００の吐出ポート１５近傍（収容部）を示す斜視図である。
【図２０】本発明の実施の形態２に係る冷凍サイクル装置３００に備えられたスクリュー圧縮機２００の吐出ポート１５近傍の説明図である。
【図２１】本発明の実施の形態２に係るエコノマイザーポート近傍の説明図である。
【図２２】本発明の実施の形態２に係る冷凍サイクル装置３００のエコノマイザー運転時の冷凍サイクル説明図である。
【図２３】本発明の実施の形態２に係る冷凍サイクル装置３００の全負荷運転時の圧力−比エンタルピ線図である。
【図２４】本発明の実施の形態２に係る冷凍サイクル装置３００の部分負荷運転で高低差圧が小さいときの圧力−比エンタルピ線図である。
【図２５】本発明の実施の形態２に係るスクリュー圧縮機２００におけるスクリュー回転角とエコノマイザーポート１２ｐとの関係を説明するための説明図である。
【図２６】本発明の実施の形態２に係るスクリュー圧縮機２００におけるスクリュー回転角とエコノマイザーポート１２ｐとの関係を説明するための説明図である。
【図２６Ａ】本発明の実施の形態２に係るスクリュー圧縮機２００におけるエコノマイザーポート１２ｐとエコノマイザー流路５０との位置関係の変形例の説明図である。
【図２７】エコノマイザーポート１２ｐの径の変形例の説明図で、（ａ）は収容部１Ａ内壁面及びスクリューロータ４外周面の展開図、（ｂ）は（ａ）のｄ−ｄ断面を示している。
【発明を実施するための形態】
【００２７】
実施の形態１．
以下、本発明の実施の形態１に係るスクリュー圧縮機１００について説明する。
図１は、本発明の実施の形態１に係るスクリュー圧縮機１００の概略断面図（平面断面図）である。また、図２は、図１のＡ−Ａ断面図である。なお、図１、図２及び以下に示す図において、同一の符号を付したものは同一又はこれに相当するものであり、これは明細書の全文において共通している。更に、明細書全文に表れている構成要素の形態は、あくまで例示であってこれらの記載に限定されるものではない。
【００２８】
スクリュー圧縮機１００は、ケーシング１、スクリューロータ４、ゲートロータ７、スクリューロータ４を回転駆動させる電動機８及びスライドバルブ１２等を備えている。ケーシング１は、スクリューロータ４と、ゲートロータ７と、電動機８と、スライドバルブ１２等とを収容するものである。ケーシング１には、収容部１Ａに開口する吐出ポート１５（後述の図３参照）が形成されている。なお、吐出ポート１５の詳細については後述する。
【００２９】
ケーシング１の内部には略円柱状の空間である収容部１Ａが形成され、収容部１Ａ内部に略円柱形状のスクリューロータ４が収容されている。スクリューロータ４は、一端が流体の吸入側となり他端が吐出側となる。このスクリューロータ４の外周面には、複数条のスクリュー溝１０が螺旋状に形成されている。また、スクリューロータ４の中心には、駆動軸となる回転軸９が回転一体に設けられている。回転軸９は、ケーシング１に設けられた高圧側軸受２及び低圧側軸受３によって回転自在に支持されている。また、回転軸９の低圧側軸受３側の端部には、例えばインバータ（図示省略）で周波数制御される電動機８が接続されている。
【００３０】
ケーシング１には、収容部１Ａ（つまり、スクリューロータ４）を中心として対向するように、一対のゲートロータサポート室６が形成されている。各ゲートロータサポート室６には、略円板形状のゲートロータ７が収容されている。ゲートロータ７は、ゲートロータサポート室６に収容されたゲートロータサポート５に設けられている。
【００３１】
ゲートロータサポート５は、その中心軸（回転軸）５ｂがスクリューロータ４の回転軸９と略垂直となるように配置され、中心軸５ｂ方向に離間して対向配置された軸受５ａによって回転自在に支持されている。
【００３２】
図２において収容部１Ａの左側に形成されたゲートロータサポート室６と、収容部１Ａの右側に形成されたゲートロータサポート室６とのそれぞれに収容されているゲートロータ７及びゲートロータサポート５は、スクリューロータ４の回転軸９を中心にして１８０°回転させた配置となっている。
【００３３】
ゲートロータ７は、収容部１Ａ及びスクリューロータ４と共に圧縮室１１を形成するものであり、その外周部には、スクリュー溝１０に噛み合わされる複数のゲートロータ歯７ａが形成されている。より詳しくは、ケーシング１には、ゲートロータ用開口部１ａが、回転軸９（図１参照）方向に延びるように形成されている。また、ゲートロータ用開口部１ａは、背面のスクリュー溝１０の傾斜に沿って延長されて形成され、背面の圧縮室を形成する収容部１Ａの吸入壁１ｃと繋がって形成されている。
【００３４】
そして、ゲートロータ７の外周部は、ケーシング１に設けたゲートロータ用開口部１ａに挿入されている。つまり、ゲートロータ７のゲートロータ歯７ａは、ゲートロータ用開口部１ａを介して収容部１Ａ内に挿入され、スクリュー溝１０に噛み合わされている。これにより、ゲートロータ７、収容部１Ａの内壁面及びスクリューロータ４で囲まれた空間（換言すると、ゲートロータ７のゲートロータ歯７ａ及び収容部１Ａで仕切られたスクリュー溝１０）が形成され、この空間が圧縮室１１となる。
【００３５】
また、ケーシング１の内壁面には、スクリューロータ４の回転軸９方向に延びる２つのスライド溝１４が形成されており、このスライド溝１４内にスライドバルブ１２がスライド移動自在に収容されている。詳しくは、２つのスライド溝１４は略円柱形状に形成され、内周面の一部が収容部１Ａと連通している。そして、これら２つのスライド溝１４は、スクリューロータ４の回転軸９を中心にして１８０°回転させた配置となっている。
【００３６】
スライド溝１４に設けられているスライドバルブ１２は、スライド溝１４と同様に、略円柱形状に形成されている。そして、スライドバルブ１２は、収容部１Ａと対向する対向面１ｅが収容部１Ａの外周壁に沿った形状となるように円柱の一部を切り欠いた形状となっている。スライドバルブ１２には直動アクチュエータ（図示せず）に連結部１２ｃを介して接続されており、直動アクチュエータを駆動させることにより、スライド溝１４内をスライドバルブ１２がスクリューロータ４の回転軸９方向に移動する。
【００３７】
（吐出ポート１５近傍の詳細構成）
次に、本実施の形態１に係るスクリュー圧縮機１００の吐出ポート１５近傍の詳細構成について説明する。
図３は、本発明の実施の形態１に係るスクリュー圧縮機１００の吐出ポート１５近傍（収容部）を示す斜視図である。なお、図３は、図２の白抜き矢印Ｂ側から見た斜視図である。また、図３（ａ）はスライドバルブ１２が吐出側に移動している状態を示し、図３（ｂ）はスライドバルブ１２が吸入側に移動している状態を示している。また、図３では、吐出ポート１５近傍をわかりやすく示すため、連結部１２ｃに連結されるガイド部等の図示は省略している。
【００３８】
図４は、図３のスクリュー圧縮機１００の吐出ポート１５近傍の説明図で、スライドバルブ１２が最も吸入側に位置するときの状態を示している。なお、ここでいう「最も吸入側」とは、吐出タイミングを調整する上でのスライドバルブ１２の移動範囲における「最も吸入側」を意味しているものであって、スライドバルブ１２のスライド範囲全体における「最も吸入側」とは必ずしも一致するわけではない。つまり、吐出タイミングを調整する上でのスライドバルブ１２の移動範囲と、スライドバルブ１２のスライド範囲とが同じ場合は一致するが、そうでない場合、ここでいう「最も吸入側」が、スライドバルブ１２のスライド範囲の「最も吸入側」よりも吐出側の位置となることもある。以下の説明における「最も吐出側」についても同様の意味である。
【００３９】
図３に示すように、スライドバルブ１２は回転軸９（図１参照）と平行にスライド溝１４（図４参照）に移動可能に収容され、スライドバルブ１２の吐出側端面１２ｄの位置を変更することにより吐出開始のタイミングを調整する。すなわち、スライドバルブ１２は、部分負荷運転で比較的圧縮比が小さい場合には吸入側にスライドして吐出開始タイミングを早めると共に、全負荷運転の場合及び部分負荷運転で比較的圧縮比が大きい場合には吐出側にスライドして吐出開始タイミングを遅くする。
【００４０】
つまり、吐出ポート１５は、ケーシング１に形成された開口部１Ｂ（より詳しくは、ケーシング１において収容部１Ａに開口する開口部）の内壁面とスライドバルブ１２の吐出側端面１２ｄとで形成されている。
【００４１】
ここで、以降の説明にあたり、図４に示すように吐出ポート１５を定義する。つまり、吐出ポート１５は、可変ポート１６（図中太斜線部）と固定ポート１７（図中細斜線部）とを有する。
【００４２】
可変ポート１６は、吐出ポート１５のうち、スライドバルブ１２と同じスクリューロータ中心角範囲φ１に開口する領域で構成される。換言すれば、可変ポート１６は、吐出ポート１５のうち、スライドバルブ１２の対向面１ｅをスライド方向に延長した領域と重なる領域部分で構成される。また、可変ポート１６は、スライドバルブ１２の吐出側端部の位置に応じて吐出開始のタイミングを可変する。また、可変ポート１６は、スライドバルブ１２の吐出側端部の位置に応じて自身の開口面積が可変とされるようになっている。
【００４３】
固定ポート１７は、吐出ポート１５のうち、可変ポート１６以外の領域であり、可変ポート１６とゲートロータ７（図３参照）との間に形成された部分である。
ここで、可変ポート１６の回転側スライド面を１６ｌ、反回転側スライド面を１６ｒと定義する。また、固定ポート１７の吸入側端面は段差を有しており、以下では、段差部分を境として可変ポート１６側から傾斜面１７ａ、垂直面１７ｂと定義する。また、以下では、固定ポート１７を段差部分で周方向に２つに分割した部分のうち、傾斜面１７ａを含む部分を分割固定ポート１７ａｘ、垂直面１７ｂを含む部分を分割固定ポート１７ｂｘとして区別する場合がある。
【００４４】
図４の左図に示すようにスライドバルブ１２が最も吸入側に位置する状態では、吐出ポート１５の吸入側端面の形状が略Ｚ形状となっている。すなわち、吐出ポート１５の吸入側端面は、垂直面１７ｂを含むことから完全なＺ形状ではないものの、スライドバルブ１２の吐出側端面１２ｄ（以下、傾斜面１２ｄという場合がある）とスライド面１６ｌと傾斜面１７ａとが互いに角度を持って接続されたＺ形状を有するように形成されており、全体として略Ｚ形状となっている。このＺ形状は、吐出ポート１５の吸入側端面のうち、固定ポート１７側の傾斜面１７ａが可変ポート１６側の傾斜面１２ｄよりも高圧側に形成されたＺ形状である。
【００４５】
なお、固定ポート１７のうち分割固定ポート１７ｂｘは、吐出行程終盤で最後まで流体を吐出できるようにケーシング１に設けられている。具体的には、ここでは分割固定ポート１７ｂｘの吸入側端面が垂直面１７ｂとなっているが、形状や位置はこれに限らない。
【００４６】
次に、スライドバルブ１２の取り付け位置を説明する。ここでは、図４に示すように、ゲートロータ用開口部１ａのスライドバルブ１２側の端面（以下、ゲートロータ開口面という）１ａａからスライドバルブ１２の中心までの角度をφ３と定義し、φ３の角度でスライドバルブ１２の取り付け位置を示す。φ３の下限は、吐出面積を大きくできる従来の３０°より大きい値とする。φ３の上限はスライドバルブ１２が、反対面のゲートロータ支持部品と干渉しない角度である。これは、スライドバルブ１２の大きさによって変化し、例えばスライドバルブ１２の大きさが従来並（スクリューロータ４の中心角φ１で幅４０°前後）の場合は、φ３の上限が１００°となる。なお、分割固定ポート１７ｂｘ部分の形成範囲は、スクリューロータ中心角範囲でφ２であり、例えば１０゜程度である。
【００４７】
（動作説明）
続いて上記のように構成されたスクリュー圧縮機１００の動作について説明する。
図５は、本発明の実施の形態１に係るスクリュー圧縮機１００の圧縮原理を示す説明図である。
【００４８】
図５に示すように、スクリューロータ４が電動機８（図１参照）により回転軸９（図１参照）を介して回転させられることで、ゲートロータ７のゲートロータ歯７ａがスクリュー溝１０内を相対的に移動する。これにより、圧縮室１１内では、吸入行程、圧縮行程及び吐出行程を一サイクルとして、このサイクルを繰り返すようになっている。ここでは、図５においてグレーで示した圧縮室１１に着目して各行程について説明する。
【００４９】
図５（ａ）は吸入行程における圧縮室１１の状態を示している。スクリューロータ４が電動機８により駆動されて実線矢印の方向に回転すると、図５に示す下側のゲートロータ７はスクリューロータ４の回転に伴い、白抜き矢印の方向に回転する。また、図５に示す上側のゲートロータ７は、白抜き矢印で示すように、下側のゲートロータ７とは反対方向に回転する。吸入行程では、圧縮室１１は最も拡大した容積を有し、ケーシング１（図１参照）の低圧空間と連通しており、低圧の冷媒ガスが満たされている。
【００５０】
更にスクリューロータ４が回転すると、その回転に連動して２つのゲートロータ７のゲートロータ歯７ａが順次吐出ポート１５の方へ回転移動する。これにより図５（ｂ）のように圧縮室１１の容積（体積）が縮小する。なお、図５（ｂ）においてスライドバルブ１２の図示を省略しているが、図５（ｂ）では可変ポート１６はスライドバルブ１２によってほとんど閉じられており、図５（ａ）よりも圧縮室１１の容積が縮小して、圧縮室１１内の冷媒ガスを圧縮している。
【００５１】
引き続きスクリューロータ４が回転すると、図５（ｃ）に示すように、圧縮室１１が吐出ポート１５に連通する。これにより、圧縮室１１内で圧縮された高圧の冷媒ガスが吐出ポート１５より外部へ吐出される。そして、再びスクリューロータ４の背面で同様の圧縮が行われる。なお、ケーシング１（つまり、収容部１Ａの内壁面）に覆われていない開放されたスクリュー溝１０内は、反対側のゲートロータ７及びゲートロータサポート室６と連通し、吸入圧力雰囲気となっている。
【００５２】
次に、吐出面積の変化について、図６〜図９を用いて詳細に説明する。図６〜図９は、本発明の実施の形態１に係るスクリュー圧縮機１００におけるスクリュー回転角と吐出面積との関係を説明するための説明図である。図６と図８は、収容部１Ａ内壁面及びスクリューロータ４外周面の展開図を示している。図６は、スライドバルブ１２が吐出側に配置される時の状態（比較的圧縮比の大きい運転状態）を示し、図８は、スライドバルブ１２が吸入側に配置される時の状態（部分負荷運転でも比較的圧縮比の小さい運転状態）を示す。
【００５３】
なお、スクリュー圧縮機１００の実質的な吐出面積は、吐出ポート１５とスクリュー溝１０との対向領域面積であり、図６、図８において格子線部Ｃ１〜Ｃ３と、右斜め下向きの斜線で示す斜線部Ｄ１〜Ｄ３及び横線で示すＥ１〜Ｅ２は、それぞれ実質的な吐出面積（吐出ポート１５とスクリュー溝１０との対向領域）を示している。
【００５４】
図７、図９は、それぞれ図６と図８に対応した吐出面積を示す特性図である。図７、図９において横軸はスクリュー回転角、縦軸は吐出面積である。図７、図９の（ａ）は可変ポート面積の変化、（ｂ）は固定ポート面積の変化を示しており、それぞれ上に凸の放物線で表され、（ａ）と（ｂ）の合計が吐出ポート面積となる。
【００５５】
（高圧縮比運転の場合）
以下、図６、図７を参照して、高圧縮比運転の場合、つまり全負荷運転の場合及び部分負荷運転で比較的圧縮比が大きい場合の吐出面積の変化を説明する。高圧縮比運転では、スライドバルブ１２を吐出側へ移動した状態で運転を行う。
【００５６】
図６（ａ）は、スクリュー回転角θＡ（１）の吐出面積Ｃ１と、スクリュー回転角θＡ（４）の吐出面積Ｄ１とを示している。図６（ｂ）は、スクリュー回転角θＡ（２）の吐出面積Ｃ２と、スクリュー回転角θＡ（５）の吐出面積Ｄ２を示している。また、図６（ｃ）は、スクリュー回転角θＡ（３）の吐出面積Ｃ３と、スクリュー回転角θＡ（６）の吐出面積Ｄ３を示している。すなわち、図６にはスクリュー溝１０が回転角θＡ（１）→θＡ（２） →θＡ（３） →θＡ（４）→θＡ（５）→θＡ（６）の順に進行し、吐出面積（対向領域）がＣ１→Ｃ２→Ｃ３→Ｄ１→Ｄ２→Ｄ３と変化する様子を示している。
【００５７】
つまり、スクリュー回転角がθＡ（１）に達する付近（図６（ａ））で圧縮室１１内が吐出圧力に達する一方、吐出ポート１５の固定ポート１７が開口し始める（Ｃ１）。このときの固定ポート１７の吸入側端面（傾斜面１７ａ）は、最大の吐出面積を確保できるように、対向するスクリュー溝１０の傾斜に沿って形成されている。つまり、固定ポート１７の吸入側端面が、対向するスクリュー溝１０の傾斜に沿って形成されていると、スクリューロータ４の回転に伴って図６ではスクリュー溝１０が下方向に移動した際、傾斜面１７ａの全体から吐出面積が広がっていくことになる。このため、最大の吐出面積を確保できるのである。
【００５８】
なお、固定ポート１７の傾斜面１７ａは、必ずしも、対向するスクリュー溝１０の傾斜に沿って形成されていなくてもよく、要は、吐出開始時の吐出ポート１５の開口面積をできるだけ大きく確保することを考慮して形成されていればよい。
【００５９】
そして、θＡ（２）（図６（ｂ））では固定ポート１７の吐出面積が増大していくと共に、可変ポート１６が開口し始める（Ｃ２）。その後、可変ポート１６の吐出面積は縮小し、図７に示すようにθＡ*で消滅するが、固定ポート１７の吐出面積はθＡ*付近で最大に達する。このように、吐出面積が小さく吐出流速が大きくなる吐出過程前半に可変ポート１６の吐出面積が追加されるので、吐出損失の増大を抑制できる。
【００６０】
そして、θＡ*付近以降は、図７に示すように固定ポート１７の吐出面積は減少に転じ始め、スクリューロータ４の回転がθＡ（３） →θＡ（４）→θＡ（５）→θＡ（６）と進むにつれて吐出面積は減少していく。
【００６１】
このように全負荷運転の場合及び部分負荷運転で比較的圧縮比が大きい場合には、スライドバルブ１２を吐出側に移動させ、圧縮した流体を主に固定ポート１７側から吐出するようにしている。
【００６２】
（低圧縮比運転の場合）
以下、図８及び図９を参照して、低圧縮比運転の場合、つまり部分負荷運転で比較的圧縮比の小さい場合の吐出面積の変化を説明する。
【００６３】
図８（ａ）は、スクリュー回転角θＢ（１）の吐出面積Ｃ１と、スクリュー回転角θＢ（４）の吐出面積Ｄ１と、スクリュー回転角θＢ（７）の吐出面積Ｅ１とを示している。図８（ｂ）は、スクリュー回転角θＢ（２）の吐出面積Ｃ２と、スクリュー回転角θＢ（５）の吐出面積Ｄ２と、スクリュー回転角θＢ（８）の吐出面積Ｅ２とを示している。また、図８（ｃ）は、スクリュー回転角θＢ（３）の吐出面積Ｃ３と、スクリュー回転角θＢ（６）の吐出面積Ｄ３を示している。すなわち、図８にはスクリュー溝１０が回転角θＢ（１）→θＢ（２） →θＢ（３） →θＢ（４）→θＢ（５）→θＢ（６） →θＢ（７）→θＢ（８）の順に進行し、吐出面積（対向領域）がＣ１→Ｃ２→Ｃ３→Ｄ１→Ｄ２→Ｄ３→Ｅ１→Ｅ２と変化する様子を示している。
【００６４】
つまり、スクリュー回転角がθＢ（１）に達する付近（図８（ａ））で圧縮室１１内が吐出圧力に達する一方、吐出ポート１５の可変ポート１６が開口し始める（Ｃ１）。このときのスライドバルブ１２の吐出側端面１２ｄは、最大の吐出面積を確保できるように対向するスクリュー溝１０の傾斜に沿って形成されている。つまり、スライドバルブ１２の吐出側端面１２ｄが、対向するスクリュー溝１０の傾斜に沿って形成されていると、スクリューロータ４の回転に伴って図８ではスクリュー溝１０が下方向に移動した際、スライドバルブ１２の吐出側端面１２ｄの全体から吐出面積が広がっていくことになる。このため、最大の吐出面積を確保できるのである。
【００６５】
なお、スライドバルブ１２の吐出側端面１２ｄは、必ずしも、対向するスクリュー溝１０の傾斜に沿って形成していなくともよく、要は、吐出開始時の吐出ポート１５の開口面積をできるだけ大きく確保することを考慮して形成されていればよい。
【００６６】
そして、θＢ（２）（図８（ｂ））では可変ポート１６の吐出面積が増大していき（Ｃ２）、更にθＢ（３）（図８（ｃ）、図９）になると、固定ポート１７の吐出面積Ｃ３’が加わる（Ｃ３）。
【００６７】
その後、θＢ（４）→θＢ（５）とスクリューロータ４の回転が進むにつれ可変ポート１６は縮小し、θＢ*（図９）でなくなる。可変ポート１６が縮小する一方で、固定ポート１７の吐出面積は増大するので、吐出ポート１５の吐出面積は、θＢ（３） 〜θＢ*ではゆるやかな変化で比較的大きく確保された状態（図８参照）が続く。そして、θＢ（３）以降、吐出ポート１５の吐出面積は、図８のＤ３→Ｅ１→Ｅ２に示すように、図７のＤ１→Ｄ２→Ｄ３と同様の面積変化をたどる。
【００６８】
このように部分負荷運転でも比較的圧縮比が小さい場合には、スライドバルブ１２を吸入側に移動させ、可変ポート１６と固定ポート１７の両方から圧縮した流体を吐出するようにしている。
【００６９】
ここで、従来と本実施の形態１との吐出ポート形状の違いについて説明する。図１０は、比較の対象となる従来の吐出ポート１５０近傍の説明図である。
吐出ポート１５０は、可変ポート１６０と、略矩形状の固定ポート１７０とから構成されている。また、スライドバルブ１２０は、本実施の形態１のスライドバルブ１２と位置が異なり、この例ではスライドバルブ１２０の角度幅は、φ１＝４０°で、スライドバルブ１２０の中心をゲートロータ開口面１ａａからφ３=３０°の位置に設けている。また、固定ポート１７０の形成範囲は、スクリューロータ中心角範囲でφ２であり、図４に示したφ２と同等の例えば１０゜程度である。
【００７０】
以下では、動作の詳細な説明は省略し、本発明と異なる従来動作のみ説明する。
【００７１】
（高圧縮比運転の場合）
図１１は、圧縮比が大きく、図１０の従来のスライドバルブ１２０が吐出側に配置された状態でのスクリュー回転角と吐出面積との関係を説明するための説明図である。図１２は、スライドバルブが吐出側に配置された状態での従来と本実施の形態１との吐出面積の比較結果を示す図である。
【００７２】
図１１の見方は、図６の見方と同様である。すなわち、図１１には、スクリュー回転角がθＡ（１）→θＡ（２）→θＡ（３）→θＡ（４）→θＡ（５）→θＡ（６）の順に、吐出面積がＣ１→Ｃ２→Ｃ３→Ｄ１→Ｄ２→Ｄ３のように変化することが示されている。
【００７３】
従来構成において高圧縮比運転の場合では、図１１に示すように、吐出過程前半から後半に渡って可変ポート１６０から圧縮した流体が吐出される。そのため、スライドバルブ１２０の連結部１２０ｃが、常に吐出ポート１５０上に位置することになり、吐出流路が閉塞される。
【００７４】
これに対し、本実施の形態１では連結部１２ｃが、吐出ポート１５から吐出される吐出流体を遮らず、且つ吐出開始時の吐出面積を最大限に確保できるよう以下の構成としている。すなわち、スライドバルブ１２を、従来のスライドバルブ１２０よりも反回転方向側（後述の図１５では上方側）へ配置すると共に、スライドバルブ１２が吐出側に配置された状態において、圧縮した流体が主に固定ポート１７側から吐出されるようにしている。そして、固定ポート１７の吸入側端面のうち可変ポート１６側を、垂直面ではなく傾斜面１７ａとしている。なお、吐出開始時の吐出面積を最大限に確保する上で傾斜面１７ａが有効な点については、上述の通りである。
【００７５】
このように構成したことにより、図６から明らかなように、吐出ポート１５内の吐出流路が連結部１２ｃによってほとんど閉塞されることがない。よって、吐出圧損を低減できる効果がある。
【００７６】
更に、図１２から明らかなように、本実施の形態１の吐出面積は、吐出開始のタイミングを変更することなく、従来の固定ポート１７の吐出面積に加えて、可変ポート１６からの吐出面積を増やすことができる。これにより、吐出面積が小さく吐出流速が大きくなる吐出過程前半の吐出面積を増やせるため、吐出損失を更に低減できる効果がある。
【００７７】
（低圧縮比運転の場合）
図１３は、低圧縮比運転で、図１０の従来のスライドバルブ１２０が吸入側に配置された状態でのスクリュー回転角と吐出面積との関係を説明するための説明図である。図１３Ａは、従来と本実施の形態１とのスライドバルブ配置の違いによる、低圧縮比運転での可変ポート面積の違いを説明するための説明図である。図１４は、スライドバルブが吸入側に配置された状態での従来と本実施の形態１との吐出面積の比較結果を示す図である。図１４Ａは、スライドバルブ１２の中心をゲートロータ開口面１ａａから９０°に設けた場合の吐出面積の変化を示す図である。図１４Ｂは、スライドバルブ１２の中心をゲートロータ開口面１ａａから９０°に設けた場合と従来との吐出面積の比較結果を示す図である。
【００７８】
図１３の見方は、図６の見方と同様である。すなわち、図１３には、スクリュー回転角がθＢ（１）→θＢ（２） →θＢ（３） →θＢ（４）→θＢ（５）→θＢ（６） →θＢ（７）→θＢ（８）の順に、吐出面積がＣ１→Ｃ２→Ｃ３→Ｄ１→Ｄ２→Ｄ３→Ｅ１→Ｅ２のように変化することが示されている。
【００７９】
従来構成において低圧縮比運転では、図１３に示すように、従来のスライドバルブ１２０が本実施の形態１に比べてより吸入側に配置される。この違いによる吐出面積変化について図１３Ａを用いて説明する。
【００８０】
図１３Ａは、従来のスライドバルブ１２０と本実施の形態１のスライドバルブ１２とを並べて示し、スライドバルブの位置の違いよる吐出面積の違いを比較した図である。図１３には、吐出過程前半から吐出過程途中（θＢ（１）→θＢ（２）→θＢ（４））までの状態を（ａ）→（ｂ）→（ｃ）に順に示している。また、図１３Ａにおいて斜線部はスライドバルブ１２の位置とした場合の吐出面積、格子線部はスライドバルブ１２０の位置とした場合の吐出面積である。
【００８１】
スクリュー圧縮機では、ケーシング１に設けた開口部とスクリュー溝１０との対向面が吐出面積となる。そのため、図１３Ａ（ｂ）の一点鎖線に示すように吐出側と吸入側のスクリュー溝１０がまったく同じ傾斜で吸入側から吐出側に向かって制限なく形成されているとすれば、可変ポート１６の吐出面積はスライドバルブ１２がどの位置にあっても同じになる。しかし、スクリュー溝１０の形状は吸入側と吐出側で異なり、図１３Ａ（ａ）に示すようにスクリュー軸方向に対する傾斜角Φは吸入側傾斜角Φs＞吐出側傾斜角Φｄとなっている。更に、吐出側端面１２ｄではスクリュー溝１０がなくなる。
【００８２】
すなわち、スライドバルブ１２の取付位置によって吐出面積変化に違いが生じる。スライドバルブ１２の吐出側端面１２ｄが従来のスライドバルブ１２０の吐出側端面１２０ｄよりも吐出側に配位置する本実施の形態１では、図１３Ａ（ａ）、（ｂ）に示すように吐出過程前半は、スクリュー溝１０の傾斜角Φが小さく、可変ポート面積を従来より大きく取れる。すなわち、図１３Ａ（ａ）、（ｂ）において斜線部と格子線部とを比較すると、斜線部の面積の方が大きくなっている。しかし、図１３Ａ（ｃ）の吐出過程途中以降はスライドバルブ１２側のスクリュー溝１０がなくなるため、スライドバルブ１２側の可変ポート面積は従来のスライドバルブ１２０側の可変ポート面積より小さくなる。しかし、本実施の形態１では、分割固定ポート１７ａｘを設けているので、吐出過程途中以降は分割固定ポート１７ａｘで吐出面積を確保できるようになっている。
【００８３】
結果的に、本実施の形態１の吐出面積は、図１４に示すようになり、従来と吐出過程の総吐出面積は同等で、吐出行程中の吐出面積の均一化が図れる構成となっている。
【００８４】
なお、スライドバルブ１２をゲートロータ開口面１ａａ（図４参照）から離しすぎると、吐出面積が縮小してしまう。この点について、スライドバルブ１２を図１３Ａに示した位置から更にゲートロータ開口面１ａａから離し、スライドバルブ１２の中心をゲートロータ開口面１ａａから９０°に設けた場合と比較して以下に説明する。
【００８５】
図１４Ｂは、スライドバルブ１２の中心をゲートロータ開口面１ａａから９０°に設けた場合と従来との吐出面積の比較結果を示す図である。
吐出側端面１２ｄでスクリュー溝１０がなくなるため、図１４Ａ（ａ）に示すようにスライドバルブ１２の可変ポート面積が小さく、早い段階で可変ポート面積がなくなってしまう。その結果、スライドバルブ１２の中心をゲートロータ開口面１ａａから９０°に設けた場合は、図１４Ｂに示すように従来に比べて、吐出過程前半の吐出面積が小さく、更に総吐出面積も小さくなる。
以上から、本実施の形態１において、スライドバルブ１２の中心位置は、３０°＜φ３＜９０°の範囲に最適点がある。
【００８６】
ここで、吐出ポート１５の吸入側端面形状について改めて整理する。連結部１２ｃによる流路閉塞の改善及び吐出過程前半の吐出面積の増大化を図るにあたり、上述したように高圧縮比で運転される場合には、スライドバルブ１２の吸入側端面のうち分割固定ポート１７ａｘを、垂直面ではなく傾斜面１７ａとすることが有効である。また、低圧縮比で運転される場合には、つまりスライドバルブ１２が最も吸入側に位置する状態では、スライドバルブ１２の吐出側端面１２ｄを、スクリュー溝１０の傾斜に沿う傾斜面とすることが有効である。よって、これらをまとめて吐出ポート１５の吸入側端面形状を検討すると、スライドバルブ１２が最も吸入側に位置する状態において、吐出ポート１５の吸入側端面の形状が略Ｚ形状とすることが有効であるということになる。
【００８７】
次に、スライドバルブ１２の外周面に設けた隔壁部分での流体漏れの改善について説明する。
【００８８】
図１５は、低圧縮比運転で、スライドバルブ１２、１２０が吸入側に配置された状態の横断面図である。（ａ）は従来、（ｂ）は本実施の形態１を示す。また、図１５（ａ）、（ｂ）は、スクリュー回転角が互いに同じθＢ１（図８及び図１３参照）の場合を示している。
図１５において、１８は吸入圧と吐出圧とを区画する隔壁で、太一点鎖線はシール面の中心を示す。
【００８９】
図１５（ａ）に示すように従来は、圧縮比が小さいときの吐出開始のタイミングにあわせて吸入側にスライドバルブ１２０の軸方向位置を調整すると、スライドバルブ１２０の吐出側端面１２０ｄが隔壁１８を越えて吸入圧側に位置してしまう。これにより、シール面が形成されず、白抜き矢印で示すように圧縮室から吸入圧側への流体漏れが発生する。
【００９０】
一方、本実施の形態１では、スライドバルブ１２が、従来のスライドバルブ１２０よりもゲートロータ７の設置位置から反回転方向側（図１５では上方側）へ配置される。このため、圧縮室の回転方向側（図１５の下側）の端辺１０ａのうち、スクリューロータ周方向（図１５の上下方向）におけるスライドバルブ位置と重なる部分が、本実施の形態１では従来よりも吐出側（図１５の左側）に位置する。よって、吐出開始点におけるスクリュー回転角θＢ１での端辺１０ａ位置に合わせて決められるスライドバルブ１２の吐出側端面１２ｄの位置が、従来よりも吐出側（図１５において左側）となる。よって、スライドバルブ１２の吐出側端面１２ｄが隔壁１８よりも吐出側にくるので、シール面が形成され、漏れが発生しない。
【００９１】
以上説明したように、本実施の形態１によれば、スライドバルブ１２が最も吸入側に配置されるときの吐出ポート１５の吸入側端面形状をＺ形状としたので、以下の効果が得られる。
【００９２】
すなわち、高圧縮比で運転される場合には、連結部１２ｃで遮られない吐出流路を形成することができ、吐出圧損を低減できる効果がある。
【００９３】
また、低圧縮比で運転される場合には、吐出面積の小さい吐出過程前半において可変ポート面積を大きく取れることに加えて、途中から固定ポート面積が加わり、吐出面積変化の均一化が図れる。このため、（効果的に）吐出面積を拡大でき、また、吐出過程後半は連結部１２ｃで遮られない吐出流路が形成され、吐出圧損を低減できる効果がある。
【００９４】
また、従来構造では、図１５に示したように、低圧縮比で運転される場合のスライドバルブ１２０の吐出側端面１２０ｄが隔壁１８より吸入側に位置し、漏れが発生して効率低下を招く問題がある。しかし、本実施の形態１では、スライドバルブ１２を従来のスライドバルブ１２０よりも反回転方向側（図１５では上方側）へ配置した。このため、吐出開始点のスクリュー溝１０に合わせてスライドバルブ１２を調整した時のスライドバルブ１２の位置が従来よりも吐出側に位置する。よって、スライドバルブ１２の吐出側端面１２ｄが吸入圧と吐出圧とを区画する隔壁１８を越えずに（漏れが発生しない）運転できる低圧縮比側の運転範囲が拡大できる効果がある。
【００９５】
以上の結果、高圧縮比から低圧縮比まで広い運転範囲で吐出圧損を低減でき、ひいては、年間を通じて高効率な運転を可能とするスクリュー圧縮機１００を得ることができる。
【００９６】
また、スライドバルブ１２をスクリューロータ４の周方向に長くすることなく、上記効果を得ることが可能であるため、スライドバルブ１２を周方向に長くした場合に生じる、漏れ損失の増大、ゲートロータ支持部品とスライドバルブ１２との干渉といった不都合が生じない。
【００９７】
なお、本実施の形態１は一例であり、スライドバルブ１２を設ける角度範囲は図４等に示した範囲に限られない。
【００９８】
また、本実施の形態１では、固定ポート１７の吸入側端面の一部が垂直面１７ｂを有する形状としたが、これに限られたものではない。他に例えば、図１６に示すように垂直面１７ｂを持たせず、傾斜面１７ａの傾斜をそのまま延長させて全体として傾斜する傾斜面１７ｃとしてもよい。
【００９９】
また、以上の実施の形態１では、２つのゲートロータ７を設けたタイプのスクリュー圧縮機について説明した。しかし、これに限らず、１つのゲートロータ７を設けたタイプのスクリュー圧縮機であっても、吐出ポート１５を上記実施の形態１で示した形状とすることにより、総合的に損失の小さい高効率なスクリュー圧縮機とすることができる。
【０１００】
以上の結果、高圧縮比から低圧縮比まで広い運転範囲で吐出損失の増大を抑制できるスクリュー圧縮機１００を得ることができる。
【０１０１】
実施の形態２．
本実施の形態２は、冷凍サイクル装置に関する。
【０１０２】
図１７は、本発明の実施の形態２に係る冷凍サイクル装置３００の冷媒回路図である。
冷凍サイクル装置３００は、インバータ１０１で駆動されるスクリュー圧縮機２００と、凝縮器１０２と、中間冷却器１０３の高圧部と、減圧装置である膨張弁１０４と、蒸発器１０５とを順に冷媒配管で接続した冷媒回路を備えている。冷凍サイクル装置３００は更に、中間冷却器１０３と膨張弁１０４との間から分岐し、中間冷却器用膨張弁１０６及び中間冷却器１０３の低圧部を介してスクリュー圧縮機１００に接続されたエコノマイザー配管１０７を有している。
【０１０３】
凝縮器１０２は、スクリュー圧縮機２００からの吐出ガスを冷却、凝縮させる。膨張弁１０４は、凝縮器１０２の分岐した液を絞り膨張させる。蒸発器１０５は、膨張弁１０４を流出した冷媒を蒸発させる。中間冷却器１０３は、凝縮器１０２と膨張弁１０４との間の高圧側冷媒と、高圧側冷媒の一部を中間冷却器用膨張弁１０６で減圧した低圧側冷媒とを熱交換させて高圧側冷媒を冷却する。
【０１０４】
冷凍サイクル装置３００には更に、インバータ１０１、膨張弁１０４、中間冷却器用膨張弁１０６の制御、スクリュー圧縮機２００のスライドバルブ１２の位置の制御、後述のエコノマイザー運転の駆動及び停止等、冷凍サイクル装置全体を制御する制御装置３０１を備えている。
【０１０５】
図１８は、本発明の実施の形態２に係る冷凍サイクル装置３００に備えられたスクリュー圧縮機２００の要部端面図である。図１９は、本発明の実施の形態２に係る冷凍サイクル装置３００に備えられたスクリュー圧縮機２００の吐出ポート１５近傍（収容部）を示す斜視図である。図２０は、本発明の実施の形態２に係る冷凍サイクル装置３００に備えられたスクリュー圧縮機２００の吐出ポート１５近傍の説明図である。
【０１０６】
スクリュー圧縮機２００は、実施の形態１のスクリュー圧縮機１００と略同様であり、以下、スクリュー圧縮機２００がスクリュー圧縮機１００と異なる点を中心に説明する。スクリュー圧縮機２００は、中間冷却器１０３からの冷媒ガスを圧縮室１１（圧縮過程にあるスクリュー溝１０）に導くためのエコノマイザー流路５０をケーシング１に備えている。エコノマイザー流路５０は、ケーシング１の外部とスライド溝１４とを連通するようにケーシング１に設けられている。
【０１０７】
エコノマイザー配管１０７は、エコノマイザー流路５０に接続され、中間冷却器１０３とエコノマイザー流路５０とを連結する。また、スクリュー圧縮機２００は更に、スライドバルブ１２の円柱部にエコノマイザーポート１２ｐが形成されている。エコノマイザーポート１２ｐは、図２０右図に示すように、スライドバルブ１２においてスライド溝１４との摺接面である外周面から、スライドバルブ１２においてスクリューロータ４との摺接面である内周面に貫通するように形成されている。
【０１０８】
なお、実施の形態１でも説明したように、ケーシング１（つまり、収容部１Ａの内壁面）に覆われていない開放されたスクリュー溝１０（図１９参照）内は、反対側のゲートロータ７及びゲートロータサポート室６（図１９には示されていない方のゲートロータ７及びゲートロータサポート室６）と連通し、吸入圧力雰囲気となっている。以降、収容部１Ａの内壁面によって覆われておらず、吸入圧力雰囲気となっているケーシング１内の空間（ゲートロータサポート室６も含む）を吸入圧室１Ｃと定義する。
【０１０９】
（エコノマイザーポート１２ｐ近傍の詳細構成）
次に、本実施の形態２に係るエコノマイザーポート１２ｐ近傍の詳細構成について説明する。
図２１は、本発明の実施の形態２に係るエコノマイザーポート近傍の説明図である。
エコノマイザー配管１０７とスライド溝１４とを連通するエコノマイザー流路５０は、図２１に示すようにケーシング１に設けられている。エコノマイザー流路５０は、エコノマイザー配管１０７に接続する管路５０ａとスライド溝１４側に接続する長溝５０ｂとを有する。長溝５０ｂはスライドバルブ１２のスライド面に沿って延びるように構成され、長溝５０ｂの長さｌは、エコノマイザー運転を行う運転範囲のスライドバルブ制御位置に対応した長さとしている。
【０１１０】
なお、エコノマイザー運転とは、中間冷却器用膨張弁１０６を開いてエコノマイザー配管１０７とスクリュー圧縮機１００とを連通させ、中間冷却器１０３の低圧部を通過後のエコノマイザーガスをスクリュー圧縮機１００の圧縮室１１にインジェクションする運転である。また、長溝５０ｂの溝幅（スクリューロータ周方向の長さ）は、図２１の右図に示すようにエコノマイザーポート１２ｐの径ｄより大きくしている。エコノマイザーポート径ｄは、スクリューロータ４の隣り合う圧縮室を連通しない最大径（最小歯厚以下）としている。
【０１１１】
（動作説明）
次に、本実施の形態２の動作について説明する。
まず、全負荷運転での冷媒回路の動作を説明する。
【０１１２】
図２２は、本発明の実施の形態２に係る冷凍サイクル装置３００のエコノマイザー運転時の冷凍サイクル説明図である。図２３は、本発明の実施の形態２に係る冷凍サイクル装置３００の全負荷運転時の圧力−比エンタルピ線図である。図２２中の矢印は冷媒の流れを示し、実線は冷媒液、破線は冷媒ガスである。図２３中の（）内の各数字の位置の冷媒状態は、図２２のそれぞれ対応する数字の配管位置の冷媒状態に対応している。
【０１１３】
図２２、図２３において、蒸発器１０５を出た圧力Ｐｓの冷媒ガス（１）はスクリュー圧縮機１００に吸い込まれ、圧力Ｐｄまで圧縮された後、吐出される。吐出された冷媒ガス（５）は、凝縮器１０２で（６）の状態まで過冷却される。高圧の過冷却液（６）は、中間冷却器１０３の高圧部に入り、更に冷却されて（８）の状態となる。中間冷却器１０３から出た高圧液（８）は、その一部が分岐され、中間冷却器用膨張弁１０６で中間圧力Ｐｍまで絞り膨張され、（７）の状態で再び中間冷却器１０３の低圧部に流れ込む。
【０１１４】
凝縮器１０２を出て直接、中間冷却器１０３の高圧部に流入した高圧液（高圧側冷媒）（６）は、中間冷却器用膨張弁１０６を経て再び中間冷却器１０３の低圧部に流入した冷媒液（低圧側冷媒）との熱交換により、過冷却状態が（８）の状態まで大きくなる。すなわち、この過冷却の増加によって、蒸発器１０５の冷凍効果は増えることになる。
【０１１５】
一方、中間冷却器１０３の低圧部に再び流入した冷媒液（低圧側冷媒）（７）は、高圧側冷媒との熱交換により蒸発して冷媒ガス（７ａ）となる。そして、この冷媒ガス（７ａ）は、エコノマイザー配管１０７及びエコノマイザー流路５０を経由して、スライドバルブ１２に設けたエコノマイザーポート１２ｐから圧縮中のスクリュー溝１０にインジェクションされ、圧縮ガスと混合する（（２）−（３））。
【０１１６】
このとき、スクリュー圧縮機２００へのガス流入量や流入するタイミングによって、圧縮動力が変化する。したがって、できるだけ圧縮動力を増さずに、冷凍能力を大きくすることが成績係数を高くするポイントとなり、最適な中間圧力Ｐｍが存在する。
【０１１７】
次に、部分負荷運転で高低差圧が小さいときの冷媒回路の動作を説明する。
図２４は、本発明の実施の形態２に係る冷凍サイクル装置３００の部分負荷運転で高低差圧が小さいときの圧力−比エンタルピ線図である。
部分負荷運転で高低差圧が小さいときは、図２４に示すように中間圧（中間冷却器出口）と圧縮室間の差圧が小さく、エコノマイザー運転時に過渡的に中間圧＜圧縮室となって動作が不安定となる。その上、冷凍能力の拡大効果が小さく、エコノマイザーガスが圧縮途中に流入することによる動力増加の方が大きくなって成績係数が低下する。そのため、高低差圧が小さい条件では、図２２の中間冷却器用膨張弁１０６を閉止し、エコノマイザー運転を行わないようにしている。
【０１１８】
次に、エコノマイザーポート１２ｐとスクリュー溝１０との位置関係を図２５と図２６を用いて説明する。
図２５と図２６は、本発明の実施の形態２に係るスクリュー圧縮機２００におけるスクリュー回転角とエコノマイザーポートとの関係を説明するための説明図である。図２５は、スライドバルブ１２が吐出側に配置される時の状態（全負荷運転など圧縮比が大きい運転状態）を示している。図２６は、スライドバルブ１２が吸入側に配置される時の状態（部分負荷運転でも比較的圧縮比の小さい運転状態）を示している。また、図２５（ａ）〜（ｃ）と図２６（ａ）〜（ｃ）は、スクリューロータ４外周面の展開図を示している。図２５（ｄ）と図２６（ｄ）は、図２５（ａ）と図２６（ａ）のＣ−Ｃ断面図である。
【０１１９】
図２５のＡ１〜Ａ９及び図２６のＢ１〜Ｂ１１は、それぞれスクリュー回転角θＡ（１）〜θＡ（９）、θＢ（１）〜θＢ（１１）のスクリュー溝１０を示している。すなわち、図２５は、スクリュー溝１０が回転角θＡ（１）→θＡ（２）→θＡ（３）→θＡ（４）→θＡ（５）→θＡ（６）→θＡ（７）→θＡ（８）→θＡ（９）の順に進行し、スクリュー溝１０の容積が縮小する様子を示している。そして、図２６は、スクリュー溝１０が回転角θＢ（１）→θＢ（２）→θＢ（３）→θＢ（４）→θＢ（５）→θＢ（６）→θＢ（７）→θＢ（８）→θＢ（９）→θＢ（１０）→θＢ（１１）の順に進行し、スクリュー溝１０の容積が縮小する様子を示している。
【０１２０】
図２６において斜線でハッチングしたスクリュー溝Ｂ１、Ｂ２は、吸入過程のスクリュー溝１０である。つまり、スクリュー溝Ｂ１、Ｂ２は、ゲートロータ７と収容部１Ａの内壁面とで完全に閉じ込まれている状態ではない位置にある。また、図２５と図２６において塗りつぶされたスクリュー溝Ａ１、Ａ２、Ａ３、Ｂ３は圧縮過程にあるスクリュー溝１０である。また、塗りつぶされていないスクリュー溝Ａ４〜Ａ９、Ｂ４〜Ｂ１１は、吐出過程にあるスクリュー溝１０である。吐出過程での実質的な吐出面積は、吐出ポート１５とスクリュー溝１０との対向領域面積であり、図２５、図２６の格子線部で示している。
【０１２１】
（全負荷運転時の場合）
図２５を用いて、全負荷運転時のエコノマイザーポート１２ｐとスクリュー溝１０との位置関係を説明する。
全負荷運転ではエコノマイザー運転を行う。エコノマイザー運転では、スライドバルブ１２は図２５（ｄ）に示すように吐出側に移動し、図２５（ａ）〜（ｃ）に示すように可変ポート１６を完全に閉塞する位置に配置される。また、ケーシング１に設けられたエコノマイザー流路５０とエコノマイザーポート１２ｐとは連通した状態になっている。
【０１２２】
図２５（ａ）に示すようにエコノマイザーポート１２ｐは、吸入を完了した直後の低圧のスクリュー溝Ａ１に連通し始める。そして、エコノマイザーポート１２ｐは、圧縮行程中のスクリュー溝Ａ２→Ａ３上を進行する。エコノマイザーポート１２ｐがスクリュー溝Ａ２→Ａ３上を進行する間、中間圧力Ｐｍとスクリュー溝１０との差圧により、エコノマイザーガスがエコノマイザーポート１２ｐからスクリュー溝１０にインジェクションされる。高圧となるスクリュー溝１０にエコノマイザーポート１２ｐを開口させると中間圧が上昇し、エコノマイザー運転による能力拡大効果（図２３の（８）の過冷却度）が小さくなる。よって、ここでは、できるだけ低圧のスクリュー溝１０にエコノマイザーガスをインジェクションするようにしている。
【０１２３】
また吸入過程のスクリュー溝１０に多量の冷媒ガスがインジェクションされると冷媒循環量が減少し、冷凍能力を低下させる要因となる。このため、吸入をほぼ完了するタイミングでエコノマイザーポート１２ｐがスクリュー溝１０に連通するようにしている。すなわち、エコノマイザーポート１２ｐは、図２５（ａ）に示すように圧縮開始時のスクリュー溝Ａ１から連通し始め、圧縮過程中のスクリュー溝Ａ２、Ａ３を通過し、スクリュー溝Ａ４で完全にスクリュー溝に開口しなくなり、これが繰り返される。
【０１２４】
なお、部分負荷運転でも比較的高低差圧が大きく、エコノマイザー効果が得られる条件では、ケーシング１に設けられたエコノマイザー流路５０とエコノマイザーポート１２ｐとを連通させて、エコノマイザー運転を行う。部分負荷運転でのエコノマイザー運転では、スライドバルブ１２を全負荷運転より吸入側へ移動させるか、全負荷運転と同じスライド位置に位置させる。
【０１２５】
（部分負荷運転で高低差圧が小さい場合）
次に図２６を用いて、部分負荷運転で高低差圧が小さいときのエコノマイザーポート１２ｐとスクリュー溝１０との位置関係を説明する。
部分負荷運転で高低差圧が小さいときはエコノマイザー運転を停止する。エコノマイザー運転を停止する場合、スライドバルブ１２は、図２６（ｄ）に示すように吸入側に移動し、エコノマイザーポート１２ｐを、図１９（ｂ）に示すように収容部１Ａの内壁面のない部分（吸入圧室１Ｃ）に配置させる。この状態では、ケーシング１に設けられたエコノマイザー流路５０とエコノマイザーポート１２ｐとは連通しない状態になっている。また、エコノマイザー運転を停止中、エコノマイザーポート１２ｐは、常に吸入圧室１Ｃに連通した状態になっている。したがって、部分負荷運転で高低差圧が小さいときは、吸入過程から吐出過程までエコノマイザーポート１２ｐがスクリュー溝１０に関与しない状態で運転が行われる。
【０１２６】
ところで、エコノマイザー運転に対応可能な従来のスクリュー圧縮機として、エコノマイザー配管と圧縮室とを、ケーシングの外周面側に設けた通路と、スライドバルブ内に設けた流路と、ケーシングの内周面側に設けたエコノマイザーポートとを介して連通させる構成のスクリュー圧縮機がある（例えば、特開平４−１３６６３号公報）。この技術では、エコノマイザー運転を停止し、スライドバルブを移動させてスライドバルブ内の流路を圧縮室から切り離したとしても、ケーシングに設けられているエコノマイザーポートが圧縮室に連通したままとなる。このため、エコノマイザーポートが吸入圧から吐出圧まで無駄に圧縮される容積部（デッドボリューム）となる。よって、エコノマイザー運転を停止した状態でエコノマイザーポートがスクリュー溝上を通過するときに再膨張損失が発生してしまう。
【０１２７】
しかし、本実施の形態２の構成では、エコノマイザー運転を停止する運転においてエコノマイザーポート１２ｐがまったく関与しなくなるので、再膨張損失による性能低下を防止できる。また、部分負荷運転は容量が小さく、隣り合う圧縮室間の漏れの影響が顕著となるが、本実施の形態２の構成では、エコノマイザー運転を停止した場合にエコノマイザーポート１２ｐがまったく関与しなくなることで、エコノマイザーポート１２ｐを経由することによるスクリュー溝１０間の漏れをなくすことができる。
【０１２８】
なお、実施の形態２では、エコノマイザー運転を行わない場合、エコノマイザー流路５０とエコノマイザーポート１２ｐとが連通しないようにした。しかし、図２６Ａ（スライドバルブが吸入側にある場合）に示すように、中間冷却器用膨張弁１０６などでエコノマイザー配管１０７を閉止すれば、吸入側へエコノマイザーガスが漏れて吸入ガスの圧縮室１１への流入を阻害することがない。このため、部品共通化などの観点から、エコノマイザー流路５０とエコノマイザーポート１２ｐとが連通するようにしてもよく、この場合も同様の効果がある。
【０１２９】
図２７は、エコノマイザーポート１２ｐの径の変形例の説明図で、（ａ）は収容部１Ａ内壁面及びスクリューロータ４外周面の展開図、（ｂ）は（ａ）のｄ−ｄ断面を示している。
本実施の形態２では、エコノマイザーポート１２ｐは隣り合う圧縮室を連通しない径となっている。しかし、エコノマイザー運転でのみエコノマイザーポート１２ｐを使用する場合、インジェクションされる冷媒の流れが、図２７（ｂ）の白抜き矢印に示すような流れであれば、隣り合う圧縮室間の漏れはない。よって、使用範囲によってはエコノマイザーポート１２ｐを図２７（ａ）に示すようにランド幅（隣り合うスクリュー溝の間の溝山の幅）より大きくしてもよく、この場合も実施の形態２と同様の効果がある。
【０１３０】
ここで、スクリューロータ４のランド幅は、スライドバルブ１２の位置がゲートロータ７から離れるほど大きくなる。そのため、エコノマイザーポート径をランド幅よりも小さくする設計では、スライドバルブ１２の取付位置を、従来のφ３＝３０°より大きく、スライドバルブ１２が反対側のゲートロータ７の支持部品と干渉しない１００°程度の範囲に設けておく方が、エコノマイザーポート径を大きく取れ、安定した流量制御を行える効果がある。
【０１３１】
以上説明したように、本実施の形態２は、実施の形態１と同様の効果が得られると共に、以下の効果が得られる。すなわち、本実施の形態２では、スライドバルブ１２に設けたエコノマイザーポート１２ｐの位置を、スライドバルブ１２が最も吐出側にある時には、エコノマイザーポート１２ｐがエコノマイザー流路５０に連通する位置とし、スライドバルブ１２が最も吸入側にある時には、エコノマイザーポート１２ｐが吸入圧室１Ｃに連通する位置とした。この構成により、エコノマイザー効果の大きい、高低差圧が大きい全負荷運転などでは、エコノマイザー運転による成績係数の向上が図れる。一方、エコノマイザー運転によって成績係数の向上が見込めない低差圧の部分負荷運転では、エコノマイザー運転を停止し、更に、エコノマイザーポート１２ｐによる再膨張損失や漏れ損失が発生しない高い成績係数を得ることができる。
【０１３２】
以上の結果、高圧縮比から低圧縮比まで広い運転範囲で高い成績係数にできる、年間を通じて高効率な運転を可能とするスクリュー圧縮機２００及び冷凍サイクル装置３００を得ることができる。
【符号の説明】
【０１３３】
１  ケーシング、１Ａ  収容部、１Ｂ  開口部、１Ｃ  吸入圧室、１ａ  ゲートロータ用開口部、１ａａ  ゲートロータ開口面、１ｃ  吸入壁、１ｅ  対向面、２  高圧側軸受、３  低圧側軸受、４  スクリューロータ、５  ゲートロータサポート、５ａ  軸受、５ｂ  中心軸、６  ゲートロータサポート室、７  ゲートロータ、７ａ  ゲートロータ歯、８  電動機、９  回転軸、１０  スクリュー溝、１０ａ  端辺、１１  圧縮室、１２  スライドバルブ、１２ｃ  連結部、１２ｄ  可変ポート側の傾斜面（吐出側端面）、１２ｐ  エコノマイザーポート、１４  スライド溝、１５  吐出ポート、１６  可変ポート、１６ｌ  スライド面（回転側スライド面）、１６ｒ  反回転側スライド面、１７  固定ポート、１７ａ  固定ポート側の傾斜面、１７ａｘ  分割固定ポート、１７ｂ  垂直面、１７ｂｘ  分割固定ポート、１７ｃ  傾斜面、１８  隔壁、５０  エコノマイザー流路、５０ａ  管路、５０ｂ  長溝、１００  スクリュー圧縮機、１０１  インバータ、１０２  凝縮器、１０３  中間冷却器、１０４    膨張弁、１０５  蒸発器、１０６  中間冷却器用膨張弁、１０７  エコノマイザー配管、１２０  スライドバルブ、１２０ｃ  連結部、１２０ｄ  吐出側端面、１５０  吐出ポート、１６０  可変ポート、１７０  固定ポート、２００  スクリュー圧縮機、３００  冷凍サイクル装置、３０１  制御装置。
【図１】
0005951125.tif 000002
【図２】
0005951125.tif 000003
【図３】
0005951125.tif 000004
【図４】
0005951125.tif 000005
【図５】
0005951125.tif 000006
【図６】
0005951125.tif 000007
【図７】
0005951125.tif 000008
【図８】
0005951125.tif 000009
【図９】
0005951125.tif 000010
【図１０】
0005951125.tif 000011
【図１１】
0005951125.tif 000012
【図１２】
0005951125.tif 000013
【図１３】
0005951125.tif 000014
【図１３Ａ】
0005951125.tif 000015
【図１４】
0005951125.tif 000016
【図１４Ａ】
0005951125.tif 000017
【図１４Ｂ】
0005951125.tif 000018
【図１５】
0005951125.tif 000019
【図１６】
0005951125.tif 000020
【図１７】
0005951125.tif 000021
【図１８】
0005951125.tif 000022
【図１９】
0005951125.tif 000023
【図２０】
0005951125.tif 000024
【図２１】
0005951125.tif 000025
【図２２】
0005951125.tif 000026
【図２３】
0005951125.tif 000027
【図２４】
0005951125.tif 000028
【図２５】
0005951125.tif 000029
【図２６】
0005951125.tif 000030
【図２６Ａ】
0005951125.tif 000031
【図２７】
0005951125.tif 000032